(57)【特許請求の範囲】
【請求項１】
電気機器であって、
前記電気機器を制御するための制御部と、
開口部を有し、前記開口部を介して対象物を収納するための槽と、
前記開口部を開閉するための扉と、
槽内を乾燥させるための乾燥部と、
前記槽内に光を照射するための少なくとも１つの光源を有した光照射部と、を備え、
前記槽内を乾燥させる時に、前記光照射部は、前記光源の発光により相関色温度が２４５０Ｋ以上３４１０Ｋ以下の領域内の色の光を照射し、
前記扉は、入射した光を散乱させる散乱手段を有し、
前記散乱手段は、前記槽内および前記扉の外部に光を拡散する、電気機器。
【請求項２】
前記制御部は、
前記槽内を乾燥させるように前記乾燥部を制御する乾燥工程を実施し、
前記乾燥工程を実施するときに、前記光を照射するように前記光照射部を制御する光照射工程を実施する、請求項１に記載の電気機器。
【請求項３】
前記制御部は、前記乾燥工程の後半の予め定めた一定時間の間光を照射するように前記光照射部を制御する、請求項２に記載の電気機器。
【請求項４】
前記制御部は、前記乾燥工程の開始から予め定めた一定時間の間光を照射するように前記光照射部を制御する、請求項３に記載の電気機器。
【請求項５】
洗濯乾燥機であって、
前記洗濯乾燥機は、請求項１〜４のいずれか１項に記載の電気機器の構成を備え、
前記制御部は、
前記光を照射するように前記光照射部を制御する光照射工程と、
前記槽内の前記対象物が洗浄されるよう前記洗濯乾燥機を制御する洗浄工程と、
前記槽内の前記対象物をすすぐように前記洗濯乾燥機を制御するすすぎ工程と、
前記槽内が乾燥するように前記乾燥部を制御する乾燥工程と、を実施し、
前記制御部は、さらに、
前記洗浄工程を実施するときに前記光照射工程を実施する、または、前記すすぎ工程を実施するときに前記光照射工程を実施する、洗濯乾燥機。
【発明の詳細な説明】
【技術分野】
【０００１】
本発明は、槽内の乾燥機能を有する電気機器に関し、特に、槽内に光を照射する光照射部を備える電気機器に関する。
【背景技術】
【０００２】
従来から、洗濯槽内に光を照射する乾燥機が提案されている。たとえば、特開平１０−２４４０９９号公報（特許文献１）および特開２００３−６２３８３号公報（特許文献２）では、乾燥効率を向上させるため、乾燥中の衣類に赤外線を照射する技術が開示されている。また、実開平２−８２２９０号公報（特許文献３）では、洗濯物に太陽のような光を照射するために、乾燥機に太陽灯（水銀灯）を内蔵する構成を開示している。また、実開昭６０−１６４３９７（特許文献４）は、紫外線または赤外線の発光体を組み込んだ乾燥機を開示している。
【先行技術文献】
【特許文献】
【０００３】
【特許文献１】特開平１０−２４４０９９号公報
【特許文献２】特開２００３−６２３８３号公報
【特許文献３】実開平２−８２２９０号公報
【特許文献４】実開昭６０−１６４３９７
【発明の概要】
【発明が解決しようとする課題】
【０００４】
上記の従来技術においては、洗濯槽内に光を照射する主な目的として、乾燥効率の向上、操作性向上、殺菌効果の付与などが挙げられる。また、近年、主にPM2.5による大気汚染のため、屋外にて天日干しで洗濯物を乾燥させることをためらう人もいる。そこで、乾燥機能付きの洗濯機である洗濯乾燥機を用いて衣類を乾燥させることが主流になってきている。しかしながら、乾燥の仕上がりにおいて、使用者に十分な満足感を与えるのが困難な現状がある。
【０００５】
つまり、洗濯乾燥機の内部が暗くてよく見えないため、使用者は、衣類の乾燥が行われているとの実感を得ることが難しかった。このような状況を鑑み、発明者らは、乾燥の仕上がりにおける使用者の満足感のポイントを探った。その結果、使用者は、「ふんわり感」、「心地よさ」、「暖かさ感」、「清潔感」、「よく乾きそうか」、「仕上がりの良さ」、「天日干しのような気持ちよさ」などの項目で洗濯物の乾燥の仕上がりを判断しているとの知見を得た。あわせて使用者は特に、「天日干し」の手触り感などの「記憶」、または「憧れ」にも似た極めて「良好なイメージ」を保有しており、「天日干しの記憶や良好なイメージ」との比較において、上述した従来技術は大幅に満足感が低いことが知られている。すなわち、従来技術では、これらの使用者の満足感のポイントに対応する対策が十分に取られておらず、そのため従来技術では、洗濯物の乾燥の仕上がりに対する使用者の満足度は低かった。
【０００６】
それゆえに、本開示のある局面における目的は、使用者に対して乾燥の仕上がりの満足度を与えることが可能な電気機器を提供することである。
【課題を解決するための手段】
【０００７】
一実施の形態に従う電気機器は、当該電機機器を制御するための制御部と、開口部を有し、開口部を介して対象物を収納するための槽と、開口部を開閉するための扉と、槽内を乾燥させるための乾燥部と、槽内に光を照射するための少なくとも１つの光源を有した光照射部と、を備え、槽内を乾燥させる時に、光照射部は、光源の発光により、黄色または橙色を含む色の光を照射する。
【０００８】
好ましくは、少なくとも１つの光源は、ｘｙ色度図上の第１の点（０．５１９，０．４７８）を通る等色温度線および黒体輻射軌跡に対する等偏差線と、第２の点（０．４０３，０．３７６）を通る等色温度線および黒体輻射軌跡に対する等偏差線とで囲まれる領域内の色の光を出射する。
【０００９】
制御部は、光を照射するように光照射部を制御する光照射工程を実施し、光照射工程では、光照射部から出射される光のうち、一部は槽内に照射されて、他の一部は扉を介して電気機器の外部に照射される。
【００１０】
好ましくは、制御部は、槽内を乾燥させるように乾燥部を制御する乾燥工程を、さらに実施し、乾燥工程を実施するときに、光照射工程を実施する。
【００１１】
好ましくは、扉は、入射した光を散乱させる散乱手段を有し、散乱手段は、槽内およびに扉の外部に光を拡散する。
【００１２】
他の実施の形態に従う洗濯乾燥機は、上記に述べた電気機器の構成を備え、上記の制御部は、光を照射するように光照射部を制御する光照射工程と、槽内の対象物が洗浄されるよう洗濯乾燥機を制御する洗浄工程と、槽内の対象物をすすぐように洗濯乾燥機を制御するすすぎ工程と、槽内を乾燥させるように乾燥部を制御する乾燥工程と、を実施し、制御部は、洗浄工程、すすぎ工程および乾燥工程のうちの少なくとも１つの工程を実施するときに、光照射工程を実施する。
【発明の効果】
【００１３】
本開示によれば、光照射部から照射される光によって、使用者に対して乾燥の仕上がりの満足度を与えることが可能である。
【図面の簡単な説明】
【００１４】
【図１】実施の形態１に係る洗濯乾燥機１の外観を示す斜視図である。
【図２】本実施の形態に係る洗濯乾燥機１の内部構造を模式的に示す縦断面図である。
【図３】実施の形態１に係る光照射部９の光源から出射される光の方向を模式的に示す図である。
【図４】実施の形態１に係る洗濯乾燥機１の制御構造を模式的に示す図である。
【図５】実施の形態１に係るＣＰＵ２３の機能を表すブロック図である。
【図６】国際照明委員会が定めるｘｙ色度図の黒体輻射軌跡V０近傍の詳細を示す図である。
【図７】（Ａ）〜（Ｅ）は、実施の形態１に係る光照射部９が乾燥工程中に光を出射するタイミングの一例を模式的に示す図である。
【図８】（Ａ）〜（Ｃ）は、実施の形態２に係る光照射部９が洗濯工程中に光を出射するタイミングの一例を模式的に示す図である。
【図９】実施の形態６に係る光散乱手段１０（扉本体）の表面を示す図である。
【図１０】図６のｘｙ色度図を拡大した図である。
【図１１】（Ａ）と（Ｂ）は、評価項目を説明する図である。
【図１２】実験１による主観評価の結果を示す図である。
【図１３】実験２による主観評価の結果を示す図である。
【発明を実施するための形態】
【００１５】
以下、図面を参照しつつ、本発明の各実施の形態について説明する。以下の説明では、同一の部品には同一の符号を付してある。それらの名称および機能も同一である。したがって、それらについての詳細な説明は繰返さない。
【００１６】
[実施の形態１]
以下、本発明の実施の形態１に係る洗濯乾燥機１について説明する。洗濯乾燥機１は、「電気機器」の一実施例である。
【００１７】
図１は、実施の形態１に係る洗濯乾燥機１の外観を示す斜視図である。図１に示すように、洗濯乾燥機１は、略直方体形状の筐体１Ａを有する。洗濯乾燥機１は、筐体１Ａの前面に設けられた開口部および扉を備える。扉は、扉本体１０と前扉１１（後述する）とから構成される。扉は、開口部を開閉するためにヒンジ機構を介して筐体１Ａに取付けられる。開口部は、後述する洗濯槽２のドラム３に、洗濯または乾燥の対象物を出し入れするために設けられる。また、筐体１Ａの上部には、操作パネル１２および洗剤等の投入部４５が設けられている。操作パネル１２は、洗濯乾燥機１に対し指示を入力するために使用者が操作するキーを含む。
【００１８】
図２は、本実施の形態に係る洗濯乾燥機１の内部構造を模式的に示す縦断面図である。図２に示すように、洗濯乾燥機１の筐体１Ａは内部に、ドラム３を有した洗濯槽２を備える。ドラム３は回転軸（図示せず）を介して洗濯槽２に保持されるとともに洗濯槽駆動モータ４に接続されている。ドラム３は、洗濯または乾燥の対象である対象物（典型的には衣類５５）を収容するための「槽」の一実施例である。
【００１９】
また、洗濯乾燥機１は、乾燥用空気をドラム３内に通流させて槽内を乾燥させるために、ヒートポンプ部７、ヒータ部８および風路６を備える。ヒートポンプ部７は、蒸発器、凝縮器、圧縮機を含む。風路６は、ドラム３とヒートポンプ部７およびヒータ部８とを連通するように設けられた送風路である。洗濯乾燥機１は、洗濯槽２およびドラム３の開口部付近に、光照射部９を備える。洗濯乾燥機１の開口部を開閉するための扉は、扉本体１０と前扉１１を含んで構成される。扉本体１０は、例えば、ガラスなど透明な部材からなる光散乱手段の一実施例であり、以降は、光散乱手段１０とも呼ぶ。前扉１１は、扉本体１０の表面部であって、洗濯槽２の側の面とは、反対側の面であって、扉が閉じている状態において、外部に露出する側の面である。
【００２０】
ヒートポンプ部７、ヒータ部８および風路６は、ドラム３内を乾燥させるための「乾燥部」の一実施例である。また、光照射部９は、ドラム３内に光を照射するための少なくとも１つの光源を有した「光照射部」の一実施例である。
【００２１】
光照射部９の光源は、たとえば、ＬＥＤ（Light Emitting Diode）素子を含む。ＬＥＤ素子は、ドラム３の内部に光が届くよう、光散乱手段（扉本体１０）に向かって光を照射する。
【００２２】
光照射部９の光源は、１つまたは複数の色の光を発光可能な光源からなる。たとえば光源がＬＥＤ素子であれば、光源は、電球色ＬＥＤ素子、白色ＬＥＤ素子、赤色ＬＥＤ素子および青色ＬＥＤ素子のいずれか、またはすべての組み合わせからなる。光照射部９の光源から出射される光は、色の異なる複数のＬＥＤ素子を同時に発光させた光であってもよい。光照射部９の光源の発光により、黄色または橙色を含む色の光が照射される。より具体的には、光照射部９も光源から出射される光の色は、黄色、黄味橙色、橙色、赤橙色、橙ピンク色である。
【００２３】
図３は、実施の形態１に係る光照射部９の光源から出射される光の方向を模式的に示す図である。図３に示したように、光照射部９からの光は、鉛直下方向９１に向かって出射される。光照射部９の光源から出射される光は、光散乱手段１０（扉本体）により散乱され、ドラム３の内部方向へと反射し、ドラム３の内部の視野を明るくする。また、光照射部９の光源から出射される光は光散乱手段１０（扉本体）により散乱され、前扉１１の方向へと透過し、光が外部へ拡散する。
【００２４】
なお、光照射部９は、光散乱手段１０（扉本体）と前扉１１ではさまれた空間（扉の内部）に設置されてもよい。この場合、光照射部９からの光は、光散乱手段１０（扉本体）に向かって出射され、光散乱手段１０（扉本体）により散乱されて、ドラム３の内部方向へと反射し、ドラム３の内部の視野を明るくする。また、光照射部９の光源から出射される光は光散乱手段１０（扉本体）により散乱され、前扉１１の方向へと透過し、光が外部へ拡散する。
【００２５】
図４は、実施の形態１に係る洗濯乾燥機１の制御構造を模式的に示す図である。図４を参照して、洗濯乾燥機１は、洗濯乾燥機１を制御する制御回路５を備える。制御回路５には、洗濯乾燥機１の各部が接続される。制御回路５の主要な構成要素としてマイクロコンピュータ２２を備える。マイクロコンピュータ２２は、ＣＰＵ（Central Processing Unit）２３、プログラムおよびデータを記憶するための記憶部（ＲＡＭ（Random Access Memory）２４、ＲＯＭ（Read Only Memory）２５）、タイマ２６、Ｉ／Ｏ（Input/Output）ポート部２７、およびシステムバス２８を含む。マイクロコンピュータ２２の各部は、システムバス２８を介してデータを送受信する。制御回路５は、さらに、マイクロコンピュータ２２に電力を供給するための電源回路３１、およびＩ／Ｏポート部２７に接続された入力キー回路３３、状態検知回路３４、表示装置駆動回路３５、光照射部駆動回路３６および負荷駆動回路３７を備える。Ｉ／Ｏポート部２７は、ＣＰＵ２３からのデータを信号に変換し各回路に出力する。また、Ｉ／Ｏポート部２７は、各回路からの信号をデータに変換しＣＰＵ２３に出力する。
【００２６】
入力キー回路３３は、操作パネル１２に接続されている。状態検知回路３４は、洗濯乾燥機１の各部の状態を検出するための各種センサを含むセンサ部１０７を接続する。表示装置駆動回路３５は、表示装置（図示しない）を接続する。表示装置は、洗濯乾燥機１の状態などの各種情報を表示する。光照射部駆動回路３６は、光照射部９を接続する。光照射部駆動回路３６は、光源を発光させるための信号を光照射部９に出力する。光源が、たとえばＬＥＤ素子である場合には、光照射部駆動回路３６は、ＣＰＵ２３からの制御信号に基づき、光照射部９のＬＥＤ素子を発光させるための電流信号を出力する。
【００２７】
負荷駆動回路３７は、洗濯槽駆動モータ４、排水モータ２１、洗濯用給水弁３８、循環ポンプ３９、排水弁４０、送風機５０、ファンモータ５１、ヒートポンプ部７およびヒータ部８を接続する。負荷駆動回路３７は、ＣＰＵ２３からの制御信号に基づき、これら各部を制御する。
【００２８】
図５は、実施の形態１に係るＣＰＵ２３の機能を表すブロック図である。図５を参照して、ＣＰＵ２３は、光照射工程制御部２００、洗濯工程制御部２０１、および乾燥工程制御部２０４を含む。洗濯工程制御部２０１は、洗浄工程制御部２２０、すすぎ工程制御部２２１、および脱水工程制御部２２２を含む。これら各部の機能は、ハードウェアおよびＣＰＵ２３により実行されるソフトウェア（プログラムとデータ）によって実現される。このようなソフトウェアは、ＲＡＭ２４とＲＯＭ２５に予め記憶されている。
【００２９】
光照射工程制御部２００は、光の照射工程を実施するように、光照射部駆動回路３６を介して光照射部９を制御する。洗濯工程制御部２０１は、洗濯工程を実施するように、洗濯槽駆動モータ４、洗濯用給水弁３８および排水弁４０等を制御する。
【００３０】
ここで、洗濯乾燥機１は、洗濯工程において、衣類５５を洗剤にて洗浄する洗浄工程、衣類５５に付着した洗剤をすすぐすすぎ工程、および衣類５５から過剰な水分を除去する脱水工程を含む。
【００３１】
洗濯工程制御部２０１は、洗浄工程制御部２２０、すすぎ工程制御部２２１および脱水工程制御部２２２を含む。洗浄工程制御部２２０は、洗浄工程を実施するように洗濯槽駆動モータ４、洗濯用給水弁３８、循環ポンプ３９および排水弁４０を制御する。すすぎ工程制御部２２１は、すすぎ工程を制御するように洗濯槽駆動モータ４、洗濯用給水弁３８、循環ポンプ３９および排水弁４０を制御する。脱水工程制御部２２２は、洗濯の脱水工程を実施するように、洗濯槽駆動モータ４、洗濯用給水弁３８および排水弁４０を制御する。
【００３２】
乾燥工程制御部２０４は、ドラム３内の乾燥工程を実施するように、洗濯槽駆動モータ４、洗濯用給水弁３８、ファンモータ５１、ヒートポンプ部７およびヒータ部８を制御する。
【００３３】
次に、上記に述べた光照射工程における光照射部９からの照射光について説明する。図６は、国際照明委員会が定めるｘｙ色度図の黒体輻射軌跡V０近傍の詳細を示す図である。図６では、等色温度線群および黒体輻射軌跡V０に対する等偏差線群が重ねて記述されている。光照射部９の光源から発光される光は、ｘｙ色度図上の、点Ａ（０．５１９，０．４７８）を通る等色温度線Ｗ１および黒体輻射軌跡V０に対する等偏差線Ｖ１と、点Ｂ（０．４０３，０．３７６）を通る等色温度線Ｗ２および黒体輻射軌跡V０に対する等偏差線Ｖ２とによって囲まれる領域Ｓ内の光に相当する。
【００３４】
点Ａは相関色温度が２４５０Ｋであり、黒体輻射軌跡V０に対する偏差ｕｖ＝０．０１６７の点を示している。点Ｂは相関色温度が３４１０Ｋであり、黒体輻射軌跡V０に対する偏差ｕｖ＝−０．００５５の点を示している。なお、等色温度線Ｗ１と等偏差線Ｖ２との交点Ｃの色度座標は（０．４６１、０．３８９）であり、等色温度線Ｗ２と等偏差線Ｖ１との交点Ｄの色度座標は（０．４２９、０．４４９）である。したがって、領域Ｓは図中時計回りに点Ａ、点Ｃ、点Ｂ、点Ｄにより囲まれる。領域Ｓは、黄色、黄味橙色、橙色、赤橙色、橙ピンク色を示す。実施の形態１に係る光照射部９の光源は、黄色、黄味橙色、橙色、赤橙色、橙ピンク色の光を出射する。これらの色に含まれる黄色系統または橙色系統の色は、色彩心理学において明るさ、暖かさ、光をイメージさせる色であり、古来より太陽をイメージさせる色としても知られている。なお、光照射部９の光源は、黄色や橙色系統の色を出射するため、５７０ｎｍ〜６２０ｎｍの波長を含む光を放射してもよい。
【００３５】
洗濯乾燥機１は、乾燥工程制御部２０４により乾燥工程を実施するとき、光照射工程制御部２００により光照射工程を実施する。図７は、実施の形態１に係る光照射部９が乾燥工程中に光を出射するタイミングの一例を模式的に示す図である。図７では、光照射工程制御部２００による光照射のタイミングとしてパターン１〜５が示される。
【００３６】
図７（Ａ）のパターン１では、乾燥工程中に連続して光が照射される。具体的には、光照射工程制御部２００は、洗濯乾燥機１の乾燥工程時に光を出射するように、光照射部９を制御する。より具体的には、光照射部９は、ヒートポンプ部７および／またはヒータ部８（すなわち、ヒートポンプ部７およびヒータ部８の少なくとも一方）の動作開始と同時に光の出射を開始し、ヒートポンプ部７および／またはヒータ部８の動作が終了するまで連続して光を出射し続ける。
【００３７】
図７（Ｂ）のパターン２では、乾燥工程の最初の予め定められた一定時間のみ光が照射される。たとえば、光照射工程制御部２００は、ヒートポンプ部７および／またはヒータ部８の動作開始から一定時間の間、連続で光が照射されるように光照射部９を制御する。一定時間の経過後は、光照射工程制御部２００は、光照射部９の光源を、消灯するように制御してもよい。なお、光照射工程制御部２００は、パターン２の当該一定時間の間において、断続的に光が出射されるように、光照射部９を制御してもよい。
【００３８】
図７（Ｃ）のパターン３では、光照射工程制御部２００は、乾燥工程の後半の予め定めた一定時間のみ光が照射されるように光照射部９を制御する。または、光照射工程制御部２００は、ヒートポンプ部７および／またはヒータ部８の動作終了の前の当該一定時間連続して光を出射するように、光照射部９を制御する。
【００３９】
図７（Ｄ）のパターン４では、光照射工程制御部２００は、乾燥工程の最初の予め定めた第１の一定時間と後半の予め定めた第２の一定時間において光が出射されるように光照射部９を制御する。または、光照射工程制御部２００は、ヒートポンプ部７および／またはヒータ部８の動作開始から上記の第１の一定時間の間、連続して光を照射し、その後消灯するように光照射部９を制御し、そして、ヒートポンプ部７および／またはヒータ部８の動作終了の前に再度、第２の一定時間連続で出射するように光照射部９を制御してもよい。
【００４０】
なお、第１の一定時間および第２の一定時間の長さは、同じであってもよく、異なっていてもよい。
【００４１】
図７（Ｅ）のパターン５では、光照射工程制御部２００は、乾燥工程において、断続して光が照射されるように光照射部９を制御する。パターン５を参照して、光照射部９が光を出射するタイミングは、たとえば、ヒートポンプ部７および／またはヒータ部８の動作と連動させてもよい。具体的には、図７（Ｅ）のように、ヒートポンプ部７が乾燥工程の間、連続的に動作し、ヒータ部８が乾燥工程の間、断続的に動作する場合、光照射工程制御部２００は、ヒータ部８が動作するときのみ、光が照射されるように光照射部９を制御してもよい。または、図示されないが、たとえば、ヒータ部８が乾燥工程の間、連続的に動作し、ヒートポンプ部７が乾燥工程の間、断続的に動作する場合、光照射工程制御部２００は、ヒートポンプ部７が動作するときのみ、光が照射されるよう光照射部９を制御してもよい。
【００４２】
乾燥工程中に、光照射部９から連続的に光が出射される場合は（図７のパターン１参照）、使用者に対していつでも光により「天日干し」のイメージを付与することができる。一方、光照射部９から断続的に光が出射される場合は（図７のパターン２〜パターン５を参照）、使用者が洗濯乾燥機１の近くに滞在する可能性がある時間において光照射部９から光が出射されるため、省エネルギーと光源の寿命の長期化を実現することができる。
【００４３】
特に、図７のパターン４，５においては、使用者が洗濯乾燥機１の近くに滞在する可能性がある時間において光照射部９から光が出射され、使用者が洗濯乾燥機１の近くに滞在する可能性が低い時間において光照射部９から光が出射されないため、パターン２や４に比して、光源の寿命の長期化を実現することができる。
【００４４】
光照射部９から出射された光は、光散乱手段１０（扉本体）により、洗濯乾燥機１のドラム３内の視野を明るくし、また、前扉１１を透過して外部に拡散される。この構成により、使用者は、ドラム３内で光に照射された衣類５５の状態を確認することができる。また、洗濯乾燥機１の外部に光が拡散することにより、「天日干し」のイメージを使用者に与えることができる。
【００４５】
[実施の形態２］
実施の形態２では、実施の形態１の変形例を説明する。上述の実施の形態１では、光照射工程制御部２００は、乾燥工程において、光を出射するように光照射部９を制御したが、実施の形態２では、洗濯工程において、光を出射するように光照射部９を制御する。
【００４６】
図８は、実施の形態２に係る光照射部９が洗濯工程中に光を出射するタイミングの一例を模式的に示す図である。図８では、光照射のタイミングとしてパターン６〜８が示される。
【００４７】
図８（Ａ）のパターン６では、洗濯工程中に、光照射部９は連続して光を出射する。具体的には、光照射工程制御部２００は、洗濯工程（すなわち、洗浄工程、すすぎ工程および脱水工程の全て）において、連続して光を出射するように光照射部９を制御する。
【００４８】
図８（Ｂ）のパターン７では、洗濯工程中に、光照射部９は断続して光を出射する。たとえば、光照射工程制御部２００は、洗濯工程のうち洗浄工程およびすすぎ工程のときに、光を出射するように光照射部９を制御する。
【００４９】
または、光照射工程制御部２００は、洗濯工程のうちすすぎ工程および脱水工程のときに、あるいは、洗濯工程のうち洗浄工程および脱水工程のときに光を出射するように光照射部９を制御する。
【００５０】
または、光照射工程制御部２００は、洗濯工程のうち、洗浄工程のみ、または、すすぎ工程のみ、または脱水工程のみ、のいずれかの工程時に光を出射するように光照射部９を制御する。
【００５１】
図８（Ｃ）のパターン８では、洗浄工程において、光照射部９は断続的に光を出射する。ここでは、洗濯乾燥機１は、たとえば、洗浄工程およびすすぎ工程においては、ドラム３への給水を開始し、給水終了後に、ドラム３がタンブリング運転を実施し、その後、ドラム３からの排水を実施する。たとえば、洗浄工程では、図８（Ｃ）に示すように、光照射工程制御部２００は、タンブリング運転開始と同時に光を出射するように光照射部９を制御し、排水開始と同時に消灯するように光照射部９を制御するとしてもよい。図８（Ｃ）のパターンは、すすぎ工程においても同様に適用することができる。
【００５２】
また、脱水工程においては、光照射工程制御部２００は、ドラム３が脱水のための回転を始めると同時に光を出射し、脱水のための回転が終了（または、ドラム３を回転させる洗濯槽駆動モータ４の運転が終了）すると同時に消灯するように、光照射部９を制御してもよい。
【００５３】
また、たとえば、洗濯乾燥機１が除菌機能を搭載している場合、光照射工程制御部２００は、除菌が実施されている間に、光を出射するよう光照射部９を制御してもよい。除菌の実施には、例えば、除菌のためのイオン（銀イオン）等を、ドラム３内に放出する機能を用いることができる。また、風路６に正負のイオンを発生させるイオン発生器（不図示）を配設してもよい。イオン発生器には、針状の放電電極（不図示）が風路内に露出するように設けられ、放電電極に給電部（不図示）から交流波形またはインパルス波形の電圧を供給することによって放電電極がイオンを発生する。
【００５４】
放電電極の印加電圧が正電圧の場合はイオンが空気中の水分と結合して主としてＨ+（Ｈ2Ｏ）ｍから成るプラスイオンを発生する。放電電極の印加電圧が負電圧の場合はイオンが空気中の水分と結合して主としてＯ2-（Ｈ2Ｏ）ｎから成るマイナスイオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００５５】
そして、（式Ａ）〜（式Ｃ）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。従って、プラスイオン及びマイナスイオンを発生することによりドラム３や衣類の殺菌及び臭い除去を行うことができる。
【００５６】
Ｈ+（Ｈ2Ｏ）ｍ＋Ｏ2-（Ｈ2Ｏ）ｎ→・ＯＨ＋１／２Ｏ2＋(ｍ＋ｎ)Ｈ2Ｏ ・・・（式Ａ）
Ｈ+（Ｈ2Ｏ）ｍ＋Ｈ+（Ｈ2Ｏ）m’＋Ｏ2-（Ｈ2Ｏ）n＋Ｏ2-（Ｈ2Ｏ）ｎ’
→２・ＯＨ＋Ｏ2＋(ｍ＋ｍ'＋ｎ＋ｎ')Ｈ2Ｏ・・・（式Ｂ）
Ｈ+（Ｈ2Ｏ）ｍ＋Ｈ+（Ｈ2Ｏ）ｍ’＋Ｏ2-（Ｈ2Ｏ）ｎ＋Ｏ2-（Ｈ2Ｏ）ｎ’
→Ｈ2Ｏ2＋Ｏ2＋(ｍ＋ｍ'＋ｎ＋ｎ')Ｈ2Ｏ・・・（式Ｃ）。なお、本実施形態ではイオン発生器によってプラスイオン及びマイナスイオンを発生しているが、マイナスイオンのみを発生してもよい。
【００５７】
実施の形態２によれば、洗濯工程において、光照射部９が連続的に光を出射する場合は、洗濯工程中に使用者に対していつでも光により「天日干し」のイメージを付与することができる。一方、光照射部９が断続的に光を出射する場合は、省エネルギーと光源の寿命の長期化を実現することができる。
【００５８】
また、出射された光は、光散乱手段１０（扉本体）により、洗濯乾燥機１の洗濯槽２内（より特定的にはドラム３内）の視界を明るくし、また、前扉１１を透過して外部に拡散される。この構成により、使用者は、洗濯槽２内で光が照射された衣類５５の状態と、光が照射された水の状態を確認することができる。また、洗濯工程中に光照射部９からの光が洗濯槽２内または衣類５５に照射されることにより、使用者は「清潔感」をイメージできて、「清潔感」に対する満足感を高めることができる。
【００５９】
［実施の形態３］
実施の形態３では、上記に述べた各実施の形態の変形例を示す。実施の形態３では、光照射部９は、扉の開放時に光を出射する。
【００６０】
洗濯乾燥機１のセンサ部１０７は、扉の開閉を検出するためのセンサを有する。光照射工程制御部２００は、当該センサに出力に基づき扉の開状態を検出したとき、光を出射するように光照射部９を制御する。
【００６１】
この構成によれば、扉を開いて、使用者が衣類５５をドラム３に投入する時、およびドラム３から衣類５５を取り出す時に、光照射部９から光が出射される。したがって、ドラム３内が明るくなるため、使用者の視界が良好となり、動作性が向上する。たとえば、乾燥対象物の一例である衣類５５の取り忘れを防止すること、ドラム３内の小さな対象物（たとえば衣類５５のボタン、子供のおもちゃなど）の見落としを防止することができる。そのため、洗濯乾燥機１への異物混入を防ぐことができると共に、使用者の私物を洗濯によって紛失・破損することも防止することができる。
【００６２】
[実施の形態４]
実施の形態４では、上記に述べた各実施の形態の変形例を示す。実施の形態４では、洗濯乾燥機１のセンサ部１０７は、人の存在を感知するセンサを有する。光照射工程制御部２００は、当該センサに出力に基づき人が洗濯乾燥機１に近づいたときに、光を出射するように光照射部９を制御する。
【００６３】
この構成によれば、使用者は洗濯工程および乾燥工程のいつでも、洗濯槽２内で光が照射された洗濯槽２内の状態を確認できると共に、省エネルギーと光源の寿命の長期化を実現することができる。
【００６４】
［実施の形態５］
実施の形態５では、上述の各実施の形態の変形例が示される。実施の形態５では、扉は、光散乱手段１０（扉本体）および前扉１１とから一体的に構成されている。具体的には、光散乱手段１０（扉本体）と前扉１１は組部品として、一体の動きをする。これにより、部品点数を減らすことができる。
【００６５】
また、光散乱手段１０（扉本体）を一体として有した扉を、ドラム３の開口部に面するように配置することにより、最も効率的に光を散乱させることができる。光散乱手段１０（扉本体）は、たとえばガラスのような透明な材料から形成される。光散乱手段１０（扉本体）は、光照射部９の光源からの光をドラム３の内部方向、および前扉１１の方向に散乱させる。前扉１１は、光を透過可能な材料（たとえば透明のプラスチック、ガラスなど）から形成される。
【００６６】
洗濯乾燥機１は、このような光散乱手段１０（扉本体）を備えることにより、光照射部９から出射された光を、ドラム３の内部のすみずみにわたり照射することができて、ドラム３内の視界を明るくすることができる。
【００６７】
また、光散乱手段１０（扉本体）と前扉１１が、上記に述べたような光を透過できる材料から形成されていることにより、光照射部９から出射された光を、外部へ拡散させることができる。このような構成によれば、ドラム３内の視界を明るくするとともに、洗濯物に対する「清潔感」が向上すると同時に、洗濯機の外部に光を拡散させることにより、「天日干し」のイメージを使用者に与えることができるため、乾燥の仕上がりに対する主観的な満足感を向上させることができる。
【００６８】
［実施の形態６］
実施の形態６では、上述の各実施の形態の変形例が示される。実施の形態６では、入射した光を散乱させる光散乱手段１０（扉本体）について、光をより効果的に散乱させるための構成が示される。
【００６９】
図９は、実施の形態６に係る光散乱手段１０（扉本体）の表面を示す図である。図９は、洗濯乾燥機１の扉が閉められた状態において、光散乱手段１０（扉本体）の表面のうち、ドラム３の内部側に面した表面が模式的に示される。光散乱手段１０（扉本体）の当該表面には複数の突起１０１が形成されている。複数の突起１０１は、特定の関数に基づいて配置されている。例えば、光散乱手段１０（扉本体）の表面を紙面より見て横方向をｘとし、紙面より見て縦方向をｙとしたときのｘｙ座標系にて（式１）の方程式を満たすフィボナッチ数列に沿った配列で設けられている。なお、（式１）のｉは突起の数、ｒは突起１０１どうしの間隔、θ０は初期の角度である。
【００７０】
【数１】
0006639110.tif 000002
【００７１】
このように突起１０１を配列することによって、光照射部９から出射される光が、光散乱手段１０（扉本体）の表面において、あらゆる方向に散乱するため、光の拡散効率を向上させることができる。
【００７２】
[実施の形態７]
実施の形態７では、上述の各実施の形態の変形例が示される。実施の形態７では、洗濯乾燥機１は上記に述べたような除菌のためのイオンを生成するイオン生成部を有し、ＣＰＵ２３は、図５の工程に追加して、イオン生成部によりドラム３内に照射するイオン照射工程を有する。実施の形態７では、光照射工程制御部２００は、イオン照射工程を実施中において、光を出射するように光照射部９を制御する。
【００７３】
これにより、ドラム３内の衣類５５にイオンが照射されるときに、当該衣類５５に光照射部９からの光が照射される。この構成によれば、使用者は、光の照射によりイオンが放出されていることを認識することができ、清潔感に対する主観的な満足感を高めることができる。
【００７４】
[実験]
各実施形態の光照射部９から出射された光の評価を行うために、発明者らは、照明色を変更した場合（実施例という）と、当該実施例を評価するための比較例とを対比する実験を行った。この対比実験について、以下に説明する。
【００７５】
図１０は、図６のｘｙ色度図を拡大した図である。図１０では、以下の実施例１〜９の光の色が点ｐ１〜ｐ９により示されて、また、比較例１〜９の光の色が点ｑ１〜ｑ９により示されている。
【００７６】
（実施例１）
実施例１の光照射部９は、領域Ｓの点Ａ（０．５１９，０．４７８）（図１０のｐ１に相当）の色の光を出射する。
【００７７】
（実施例２）
実施例２の光照射部９は、領域Ｓの等色温度線Ｗ１上の点（０．４８９，０．４３１）（図１０のｐ２に相当）の色の光を出射する。
【００７８】
（実施例３）
実施例３の光照射部９は、領域Ｓの点Ｃ（０．４６１，０．３８９）（図１０のｐ３に相当）の色の光を出射する。
【００７９】
（実施例４）
実施例４の光照射部９は、領域Ｓの等偏差線Ｖ２上の点（０．４３１，０．３８３）（図１０のｐ４に相当）の色の光を出射する。
【００８０】
（実施例５）
実施例５の光照射部９は、領域Ｓの点Ｂ（０．４０３，０．３７６）（図１０のｐ５に相当）の色の光を出射する。
【００８１】
（実施例６）
実施例６の光照射部９は、領域Ｓの等色温度線Ｗ２上の点（０．４１５，０．４１３）（図１０のｐ６に相当）の色の光を出射する。
【００８２】
（実施例７）
実施例７の光照射部９は、領域Ｓの点Ｄ（０．４２９，０．４４９）（図１０のｐ７に相当）の色の光を出射する。
【００８３】
（実施例８）
実施例８の光照射部９は、領域Ｓの等偏差線Ｖ１上の点（０．４６５，０．４６３）（図１０のｐ８に相当）の色の光を出射する。
【００８４】
（実施例９）
実施例９の光照射部９は、領域Ｓの内部の点Ｅ（０．４５８，０．４１１）（図７のｐ９に相当）の色の光を出射する。
【００８５】
（比較例１）
各実施例と対比される比較例１では、光照射部９は、等偏差線Ｖ１よりも黒体輻射軌跡V０に近く、等色温度線Ｗ１よりも相関色温度が低い点（０．５２８、０．４６２）（図１０のｑ１に相当）の色の光を出射する。
【００８６】
（比較例２）
比較例２では、光照射部９は、等色温度線Ｗ１よりも相関色温度が低い点（０．４８５、０．４００）（図１０のｑ２に相当）の色の光を出射する。
【００８７】
（比較例３）
比較例３では、光照射部９は、等偏差線Ｖ２よりも黒体輻射軌跡V０から離れ、等色温度線Ｗ１よりも相関色温度が低い点（０．４７５、０．３７９）（図１０のｑ３に相当）の色の光を出射する。
【００８８】
（比較例４）
比較例４では、光照射部９は、等偏差線Ｖ２よりも黒体輻射軌跡V０から離れた点（０．４２１、０．３７０）（図１０のｑ４に相当）の色の光を出射する。
【００８９】
（比較例５）
比較例５では、光照射部９は、等色温度線Ｗ２よりも相関色温度が高い点（０．３８１、０．３８３）（図１０のｑ５に相当）の色の光を出射する。
【００９０】
（比較例６）
比較例６では、光照射部９は、等偏差線Ｖ１よりも黒体輻射軌跡V０から離れた点（０．４２５、０．４６４）（図１０のｑ６に相当）の色の光を出射する。
【００９１】
（比較例７）
比較例７では、光照射部９は、等偏差線Ｖ１よりも黒体輻射軌跡V０から離れた点（０．４８４、０．４８３）（図１０のｑ７に相当）の色の光を出射する。
【００９２】
（実験１について）
実験１では、男性８名、女性８名を被験者として、光照射部９を点灯させた場合とそうでない場合について、被験者の主観を計測した。なお、光照射部９による光の照射は、乾燥工程中に実施した評価であるため、それぞれの場合において洗濯乾燥機１から取り出した乾燥後の衣類５５（この場合、タオル）を触り、図１１（Ａ）の乾燥工程の評価項目１〜８により示される「ふんわり感」、「心地良さ」、「暖かさ感」、「清潔感」、「乾きの良さ（乾きが良い）」、「仕上がりの良さ（仕上がりが良い）」、「天日干しのような気持ちよさ」、および「取り出し動作のしやすさ」の各評価内容に対して、被験者の主観評価を行った。また、図１１（Ｂ）の洗浄工程の評価項目９〜１１により示される「投入動作のしやすさ」、「心地良さ」、および「清潔感」の評価内容のそれぞれに対して、乾燥工程の評価方法と同様に、被験者の主観評価を行った。なお、実験１において、光照射部９を点灯させた時の照明は、（実施例９）の照明光を用いた。
【００９３】
評価手法として、感覚・感情の強度を評価するのに用いられるVAS（Visual Analogue Scale）を用いた。この評価手法は、一端が最悪の感覚、他端が最良の感覚を表す１本の直線上に、被験者がその時感じた評価用語に対する感覚・感情の強さに適応した点にしるしを付け、そのしるしの位置から一端までの長さを計測することで、主観的感覚を数値化して点数評価するものである。
【００９４】
（実験１の結果）
図１２は、実験１による主観評価の結果を示す図である。図１２では、光照射部９により（実施例９）の光を点灯させた場合と、そうでない場合との２つのケースについて、被験者の主観評価の結果を示す。図１２では、光を点灯しない場合（扉を介した外部への光照射なし）に対し、光を点灯させた場合に、有意水準を５％として、向上の有意差がある場合を「○」、有意確率１０％未満については向上の傾向があるとして「△」、 それ以外を向上の有意差および傾向がないとして「×」で示した。
【００９５】
この結果、乾燥工程の評価項目１，２，４，７および８の「ふんわり感」、「心地良さ」、「清潔感」、「天日干しのような気持ちよさ」、および「取り出し動作のしやすさ」の各評価内容に対して、有意水準５％として評価した。実験１において、光照射部９を点灯させて当該評価を実施したところ、評価項目１，２，４，７および８について被験者の主観的感覚は向上する傾向がみられた。また、評価項目３，５および６の「暖かさ感」、「乾きの良さ」および「仕上がりの良さ」の各評価内容に対しても主観的感覚が向上する傾向が見られた。
【００９６】
一方、洗浄工程の評価項目９および１１の「投入動作のしやすさ」および「清潔感」の評価内容に対して、有意水準５％として評価した。実験１では、光照射部９を点灯させたときに主観的感覚が向上する傾向がみられた。また、評価項目１０の「心地良さ」の評価内容に対しても、主観的感覚の向上の傾向が見られた。
【００９７】
（実験２について）
実験２では、実施例および比較例の各照明光を照射した場合とそうでない場合とで、乾燥工程における評価項目１〜８が示す「ふんわり感」、「心地良さ」、「暖かさ感」、「清潔感」、「乾きの良さ」、「仕上がりの良さ」、「天日干しのような気持ちよさ」および「取り出し動作のしやすさ」の評価内容に対して、主観評価を行った。また、洗浄工程の評価のため、評価項目９〜１１が示す「投入動作のしやすさ」、「心地良さ」および「清潔感」の評価内容に対して、乾燥工程の評価方法と同様に主観評価を行った。
【００９８】
（実験２の結果）
図１３は、実験２による主観評価の結果を示す図である。図１３では、実施例１〜９および比較例１〜７の光を点灯させた場合とそうでない場合との主観評価の結果を示す。領域Ｓの範囲にある実施例１〜９の点ｐ１〜ｐ９の照明光を点灯させた場合に、照明光を点灯させない場合に比べ、有意水準５％および、有意確立１０％未満で、ほとんどの評価内容において主観的感覚の向上が見られる傾向にあった。
【００９９】
一方、領域Ｓの外にある比較例１〜７の点ｑ１〜ｑ７の照明光を点灯させた場合に、照明光を点灯させない場合に比べ、ほとんどの評価内容において主観的感覚の向上について有意差および傾向がない結果となった。このように、図１３によれば、領域Ｓの値に関する臨界的意義も示される。
【０１００】
以上の実験結果より、乾燥工程中、外部へ光の照射がある場合、洗濯物（衣類５５）の仕上がりに対する主観的な満足度を高まることが示された。より詳しくは、領域Ｓの範囲の光の色を照射した場合には、洗濯物（衣類５５）の仕上がりに対する主観的な満足度が高まることが示された。また、洗濯工程において外部への光の照射がある場合、「清潔感」に対する満足感を高められることが示された。より詳しくは、領域Ｓの範囲にある色の光が衣類５５に照射されることにより、洗濯物（衣類５５）の仕上がりに対する主観的な満足度が高まることが示された。また、衣類５５の投入時および取り出し時の扉の開放時に、光照射部９が点灯してドラム３内を明るく照らすことにより、主に、投入動作のしやすさおよび取り出し動作のしやすさに対する満足感が高まることが示された。
【０１０１】
なお、各実施の形態では、乾燥対象物として、衣類５５などの洗濯物を一例として挙げたが、布団などの寝具類であってもよい。また、乾燥機能を有する機器としてドラム式の洗濯乾燥機１を一例として挙げたが、縦型洗濯乾燥機であってもよく、乾燥機（家庭用乾燥機やコインランドリーで使われる大型乾燥機、布団乾燥機）などであってもよい。
【０１０２】
また、光照射部９の光源の位置は固定でなく、手動で光の出射方向が変更されるとしてもよい。この場合に光照射部９に関連してモータを備えて、ＣＰＵ２３は、光照射方向がモータの回転に連動して変更するように、モータを制御してもよい。
【０１０３】
[実施の形態の効果]
洗濯乾燥機１は、洗濯物（衣類５５）を出し入れする扉と、洗濯工程と、乾燥工程と、光照射工程とを有する。光照射工程では、少なくとも一の光源の発光により、国際照明委員会が定めるｘｙ色度図上の点Ａ（０．５１９，０．４７８）を通る等色温度線及び黒体輻射軌跡に対する等偏差線と、 点Ｂ（０．４０３，０．３７６）を通る等色温度線及び黒体輻射軌跡に対する等偏差線とで囲まれる領域内の色の光を出射するとともに、光のうち、一部を衣類５５に照射し、他の一部を洗濯乾燥機１の外部に照射する。この構成によれば、洗濯物の「ふんわり感」、「心地よさ」、「暖かさ感」、「清潔感」、「よく乾きそうか」、「仕上がりの良さ」および「天日干しのような気持ちよさ」などについて、使用者の洗濯物の乾燥の仕上がりに対しする満足度および、洗濯物の見た目から得られる主観的な満足感が向上する。
【０１０４】
また、乾燥工程が実施されるときに光照射工程を実施する構成によれば、使用者のドラム３内の視野を明るく照らすことができて、洗濯物の仕上がりに対する主観的な満足度を高めることができる。
【０１０５】
また、洗濯工程が実施されるときに光照射工程が実施される構成によれば、洗濯中にドラム３内の視野を明るくすることにより、使用者の「清潔感」に対する満足感を高めることができる。
【０１０６】
上述の光照射工程が、扉の開放時に実施される構成によれば、ドラム３内の視界を明るくすることができるとともに、洗濯物の仕上がりに対する使用者の主観的な満足度を高めることができる。
【０１０７】
光散乱手段１０（扉本体）によって、洗濯乾燥機１の内部（より特定的にはドラム３の内部）に光が拡散される構成によれば、使用者は、扉本体を介してドラム３内の様子を外から確認することができる。そのため、衣類５５の乾燥の仕上がりに対する主観的な満足感を向上させることができる。
【０１０８】
光照射部９により照射される光は、光散乱手段により洗濯乾燥機１の外部に拡散される。したがって、洗濯乾燥機１の外観から、「天日干し」のイメージを使用者に与えることができるため、乾燥の仕上がりに対する主観的な満足感を向上させることができる。
【０１０９】
光散乱手段１０は、フィボナッチパターンを有する構成を採用する。この構成によれば、光を散乱させることにより、光の拡散効率を高めることができる。
【０１１０】
また、光散乱手段が扉に備えられる構成によれば、機器の部品点数が減るため、構造を簡単にすることができる。
【０１１１】
また、洗濯乾燥機１は、さらに衣類５５にイオンを照射するイオン照射工程を有し、光照射工程は、イオン照射工程が実施されるときに実施される（より好ましくは、並行して実施される）構成によれば、イオンが放出されていることを使用者は視覚的に認識することができる。したがって、清潔感に対する使用者の主観的な満足感を高めることができる。
【０１１２】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１１３】
１  洗濯乾燥機、１Ａ  筐体、２  洗濯槽、３  ドラム、４  洗濯槽駆動モータ、５  制御回路、６  風路、７  ヒートポンプ部、８  ヒータ部、９  光照射部、１０  扉本体，光散乱手段、１１  前扉、１２  操作パネル、２１  排水モータ、２２  マイクロコンピュータ、２６  タイマ、５５  衣類、２００  光照射工程制御部、２０１  洗濯工程制御部、２０４  乾燥工程制御部、２２０  洗浄工程制御部、２２１  すすぎ工程制御部、２２２  脱水工程制御部。
【図１】
0006639110.tif 000003
【図２】
0006639110.tif 000004
【図３】
0006639110.tif 000005
【図４】
0006639110.tif 000006
【図５】
0006639110.tif 000007
【図６】
0006639110.tif 000008
【図７】
0006639110.tif 000009
【図８】
0006639110.tif 000010
【図９】
0006639110.tif 000011
【図１０】
0006639110.tif 000012
【図１１】
0006639110.tif 000013
【図１２】
0006639110.tif 000014
【図１３】
0006639110.tif 000015